(57)【要約】【課題】介護する者が、寝たきりの患者等の口腔内に簡易かつ確実に給水できると共に口腔内の汚水等を迅速に排出できることにより、口腔内の清掃を容易に行うことができる歯ブラシ装置を提供する。【解決手段】  歯ブラシ装置１０は、先端にブラシ部１２を設けた柄部１１と、柄部１１に着脱可能に取り付けられた一端側にてブラシ部１２側に開口するフレキシブルな径の小さい給水チューブ１７及び径の大きい排水チューブ１８と、給水チューブ１７の他端に取り付けられた注射器２３と、排水チューブ１８の他端に取り付けられて排水装置２５に連結される取付具１９とにより構成されている。【選択図】    図１
2006334276.tif 000002
【特許請求の範囲】
【請求項１】
先端にブラシ部を設けた柄部に着脱可能に取り付けられて、一端側にてブラシ部側に開口すると共に他端側が把持部から外方に延びた２本のフレキシブルなチューブを設け、一方のチューブが他端にて注水用注射器に取り外し可能に接続されており、他方のチューブが他端にて排水装置に接続されるようになっていることを特徴とする歯ブラシ装置。
【請求項２】
前記柄部の長手方向の２箇所に厚さ方向に貫通した一対の挿嵌孔を設け、前記２本のチューブが該一対の挿嵌孔に順次挿嵌されることにより該柄部に取り付けられたことを特徴とする前記請求項１に記載の歯ブラシ装置。
【請求項３】
前記一方のチューブの径が、前記他方のチューブの径より小さくなっていることを特徴とする前記請求項１又は２に記載の歯ブラシ装置。
【発明の詳細な説明】
【技術分野】
【０００１】
本発明は、寝たきりの患者等の口腔内の清掃に使用する歯ブラシ装置に関する。
【背景技術】
【０００２】
従来、この種の歯ブラシ装置としては、例えば特許文献１に示すように、歯ブラシに吸引ノズルを設け、吸引ノズルに接続した吸引チューブを真空吸引装置に連結し、真空吸引装置の吸引により患者の口腔内の水分を吸引するものが知られている。しかし、寝たきりの患者等は、口腔内が乾燥しているため、歯みがきをスムーズに行うことができず、水分の補給が別途必要になっていた。これに対して、特許文献２に示すように、歯ブラシの柄部に注水孔と吸引孔を設け、吸引孔には吸引用ポンプが接続され、注水孔には柄部と一体で水タンク及び送水ポンプが接続されたものが知られている。しかし、この歯ブラシは、柄部の構造が複雑であり、さらに水タンク及び送水ポンプが一体となった全体として非常に複雑な構造であり、取り扱いが不便であると共に価格が非常に高価なものになっていた。
【特許文献１】特開平１１−１１３６３７号公報
【特許文献２】特開平１１−１０３９３７号公報
【０００３】
さらに、特許文献３に示すように、歯ブラシを装着する歯ブラシ装着用背板に貫通孔を設けて、背板に注射筒を取り付けて保持具で保持し、注射筒から歯ブラシに注水できるようにしたものがある。しかし、この歯ブラシは背板に取り付けられ、さらに背板に注射筒が取り付けられているため、形状が大きくなると共に重さも重くなる。そのため、寝たきりの患者等の口腔内の清掃を行う看護師等の介護する者にとって非常に使い難いものとなっている。また、ブラシと注射筒とが背板において互いに近接して設けられているため、介護する者が、ブラシを使って口腔内を清掃しながら、同時に注射筒を用いて給水するには非常に不便な構造となっている。また、特許文献４には、給水パックから伸びたチューブを歯ブラシの植毛部に取り付け、給水パックから植毛部を通して口腔内に薬液等を供給する口腔ケア支援機器が示されている。しかし、この支援機器を利用する場合、水を満たした給水パックを用意する必要があるため手間であると共に、液が水か薬剤液かを区別して中身を間違えないようにする必要があり、そのために給水パックの管理が煩雑になるという問題がある。また、給水パックを吊るすための支柱が必要になり、口腔内への給水のための手段が大掛かりになるという問題もある。
【特許文献３】特開２００２−５８５３７号公報
【特許文献４】特開２００３−２５０８１７号公報
【発明の開示】
【発明が解決しようとする課題】
【０００４】
本発明は、上記問題を解決しようとするもので、介護する者が、寝たきりの患者等の口腔内に簡易かつ確実に給水できると共に口腔内の汚水等を簡易に排出できることにより、口腔内の歯みがきを含めた清掃を容易に行うことができる歯ブラシ装置を提供することを目的とする。
【課題を解決するための手段】
【０００５】
上記目的を達成するために、本発明の構成上の特徴は、先端にブラシ部を設けた柄部に着脱可能に取り付けられて、一端側にてブラシ部側に開口すると共に他端側が把持部から外方に延びた２本のフレキシブルなチューブを設け、一方のチューブが他端にて注水用注射器に取り外し可能に接続されており、他方のチューブが他端にて排水装置に接続されるようになっていることにある。
【０００６】
上記のように構成した本発明においては、歯ブラシを構成する先端にブラシ部を設けた柄部自体は、通常の歯ブラシと同等の簡易な構造であるため、看護師等の介護する者が、寝たきりの患者等の口腔内の歯みがきを簡易に行うことができる。また、介護する者が、柄部を持って歯みがきを行いながら、一方のチューブに接続された注水用注射器を用いて、乾燥した患者の口腔内の状況を見ながら口腔内に簡易かつ適正に給水することができる。これにより、口腔内が潤されるため、歯みがきをスムーズに行うことができる。また、歯みがき後の口腔内に残った汚水等については、他方のチューブの他端を排水装置に接続することにより、排水装置の吸引によってチューブを通して迅速に排出が行われる。そのため、介護する者が、寝たきりの患者等の口腔内の歯みがきを含めた清掃を簡易かつ適正に行うことができる。また、水を満たした注射器を一方のチューブに接続すればよいので、間違った薬剤を使用するおそれもない。また、歯ブラシ装置は、柄部にチューブと注射器とを取り付けた簡易な構造であり、多くの歯ブラシに安価に使用することができ、また歯ブラシ部分のみを取り替えることも可能であり汎用性もあり使い勝手もよい。
【０００７】
また、柄部の長手方向の２箇所に厚さ方向に貫通した一対の挿嵌孔を設け、２本のチューブが一対の挿嵌孔に密着状態で挿嵌されることにより柄部に取り付けられるものであってもよい。このように、ブラシ部を除く柄部の長手方向２箇所に設けた挿嵌孔を用いることにより、２本のチューブの柄部への取り付けが簡単に行われると共に、挿嵌孔の構造が単純なので、柄部が安価に提供される。
【０００８】
また、一方のチューブの径が、他方のチューブの径より小さくなっていることが好ましい。これにより、径の小さい一方のチューブから、水を少量ずつ口腔内に給水できるため、患者等の気管内に間違って水が流れ込む不具合を確実に避けることができる。また、排水の際には、径の大きい他方のチューブから迅速に口腔内の汚水を吸引することができるため、口腔内にたまった汚水の気管内への流入を防止できる。
【発明の効果】
【０００９】
本発明においては、介護する者が、寝たきりの患者等の口腔内に注射器によって一方のチューブを通して簡易かつ適正に給水できることによりスムーズに歯みがきを行うことができ、また排水装置で吸引することによって他方のチューブを通して患者の口腔内の汚水等を簡易に排出できることにより、口腔内の清掃を簡易かつ適正に行うことできる。
【発明を実施するための最良の形態】
【００１０】
以下、本発明の一実施例について図面を用いて説明する。図１は実施例である歯ブラシ装置を構成図により概略的に示し、図２〜４は歯ブラシ装置（注射器を除く）を正面図、平面図及び底面図により示したものである。歯ブラシ装置１０は、先端にブラシ部１２を設けた柄部１１と、柄部１１に着脱可能に取り付けられた一端側にてブラシ部１２側に開口するフレキシブルな径の小さい一方のチューブである給水チューブ１７及び径の大きい他方のチューブである排水チューブ１８と、給水チューブ１７の他端に取り付けられた注水用の注射器２３と、排水チューブ１８の他端に取り付けられて排水装置２５に接続するための連結具１９とにより構成されている。
【００１１】
柄部１１は、プラスチック製の扁平な棒状であり、長手方向一端側から他端（図示左端から右端）にかけて、一表面側にブラシ１２ａが植毛されたブラシ部１２と、幅の細い中間部１３と、長さの長い把持部１４とが順次配列されている。把持部１４の長手方向左右両端の近傍位置にはそれぞれ厚さ方向に貫通した挿嵌孔１５，１６が設けられている。本実施例では、給水チューブ１７として、６Ｆｒ（フレンチ）の吸引カテーテルが用いられ、排水チューブ１８としは、１２Ｆｒの吸引カテーテルが用いられる。挿嵌孔１５，１６の大きさは、給水及び排水チューブ１７，１８が緊密な状態で嵌め合わされる大きさになっている。給水及び排水チューブ１７，１８は、柄部１１のブラシ１２ａ側の表面にて一方の挿嵌孔から挿入され、両挿嵌孔１５，１６間で反対面を延びて他方の挿嵌孔に挿入されて、ブラシ１２ａ側の表面に引き出されている。
【００１２】
挿嵌孔１５からブラシ１２ａ側に突出した給水チューブ１７は、一端が中間部１３の側面のブラシ部１２近傍まで延出して配置され、排水チューブ１８は、一端が中間部１３の表面を経てブラシ部１２内まで延出して配置される。給水及び排水チューブ１７，１８は、中間部１３において、ブラシ部１２近傍位置にて接着性を有する樹脂材２１ａで帯状に巻き付けられて接着状態で固定され、把持部１４近傍位置にてゴムバンド２１ｂで巻き付けられて固定されている。また、給水及び排水チューブ１７，１８は、把持部１４の両挿嵌孔１５，１６間の軸方向の２箇所にてゴムバンド２１ｂで巻き付けられて固定されている。給水チューブ１７の他端は、注射器２３の注入口２３ａに嵌め合わされて取り外し可能に取り付けられる。排水チューブ１８の他端には連結具１９が固定されており、連結具１９によって排水チューブ１８は、排水装置２５に接続されるようになっている。
【００１３】
上記のように構成した実施例においては、柄部１１自体は、通常の歯ブラシと同等の簡易な構造であるため、看護師等の介護を行なう者が、寝たきりの患者等の歯みがきを簡易に行うことができる。そして、寝たきりの患者等の歯みがきを行う場合に、介護する者が給水チューブ１７に接続された水で満たされた注射器２３のピストン２４を手で押すことにより、患者の状態に応じて乾燥した患者の口腔内に径の小さい給水チューブ１７を通して簡易かつ適正に給水することができる。これにより、口腔内が潤されるため、介護を行なう者が歯みがきをスムーズに行うことができる。また、歯みがき後の汚水等については、排水チューブ１８が連結具１９によって接続された排水装置２５の吸引により、径の大きい排水チューブ１８を通して迅速に排出が行われる。その結果、介護を行なう者が、寝たきりの患者等の歯みがきを含めて口腔内の清掃を簡易かつ適正に行うことができる。なお、このように介護を行なう者が寝たきりの患者等の歯みがきを行う場合に、患者の口角にアングルワイダーを装着することにより、介護する者が歯みがきと給水を一人で行うことができる。
【００１４】
また、本実施例においては、給水チューブ１７の径が、排水チューブ１８の径より小さくなっていることにより、径の小さい給水チューブ１７から、水を少量ずつ口腔内に給水できるため、患者等の気管内に間違って水が流れ込む不具合を確実に避けることができる。また、排水の際には、径の大きい排水チューブ１８から迅速に口腔内の汚水を吸引することができるため、口腔内にたまった汚水の気管内への流入を防止できる。
【００１５】
また、水を満たした注射器２３を給水チューブ１７に接続すればよいため、間違った薬剤を使用することもない。さらに、歯ブラシ装置１０は、柄部１１に給水及び排水チューブ１７，１８とを取り付け、給水チューブ１７の他端に注射器２３とを取り付けた簡易な構造であり、多くの歯ブラシに安価に適用することができる。また、歯ブラシ部分のみを取り替えることも可能であるため、装置としての汎用性があり使い勝手もよい。また、給水及び排水チューブ１７，１８が、柄部１１に設けた挿嵌孔１５，１６に密着状態で挿嵌されることにより、チューブ１７，１８の柄部１１への取り付けが簡単に行われると共に、挿嵌孔１５，１６の構造が単純なので柄部１１が安価に提供される。
【００１６】
なお、上記実施形態においては、給水及び排水チューブ１７，１８を把持部１４の挿嵌孔１５，１６に嵌め合わせることにより取り付ける構造となっているが、これに限らず、柄部１１に取付孔を形成し、給水及び排水チューブ１７，１８を直接取付孔に接続するようにしてもよい。その他、上記実施形態に示した歯ブラシ装置の具体的形状等については一例であり、本発明の趣旨を逸脱しない範囲で、種々変更して実施することが可能である。
【産業上の利用可能性】
【００１７】
本発明の歯ブラシ装置は、介護する者が、寝たきりの患者等の口腔内に注射器によりチューブを介して簡易かつ適正に給水できることにより、簡易に歯みがきを行うことができ、また患者の口腔内の汚水等を簡易に排出でき、患者の口腔内の清掃を簡易に行うことができるので、有用である。
【図面の簡単な説明】
【００１８】
【図１】本発明の実施例である歯ブラシ装置を概略的に示す構成図である。
【図２】歯ブラシ装置（注射器を除く）を示す正面図である。
【図３】同歯ブラシ装置（注射器を除く）を示す平面図である。
【図４】同歯ブラシ装置（注射器を除く）を示す底面図である。
【符号の説明】
【００１９】
１０…歯ブラシ装置、１１…柄部、１２…ブラシ部、１３…中間部、１４…把持部、１５，１６…挿嵌孔、１７…給水チューブ、１８…排水チューブ、２３…注射器、２５…排水装置。
【図１】
2006334276.tif 000003
【図２】
2006334276.tif 000004
【図３】
2006334276.tif 000005
【図４】
2006334276.tif 000006